(57)【要約】【課題】  複数押圧可能な操作釦を有する電子機器において、該釦を該釦を取付ける孔に対して調芯するためには該釦に位置決め用部材を必要とし、操作釦を精度高く調芯するには技術難易度が高かった。また、位置決め用部材なしに調芯するプッシュスイッチ機構はあるが一軸方向のみ動作可能で、複数押圧可能とすることが出来なかった。【解決手段】  複数押圧可能な操作釦は操作方向へ押し込まれたときには前記操作釦を取り付ける孔に対して揺動し、該操作釦を該取り付け孔から突出させる方向に付勢する部材によって該操作釦が初期位置に戻るときには該操作釦外周部のテーパ面と該取り付け孔のテーパ面で調芯をする。【選択図】  図７
2007172989.tif 000002
【特許請求の範囲】
【請求項１】
複数箇所を押圧可能な操作釦と該操作釦を取り付ける孔を有するカバー部材を備える電子機器において、前記操作釦は操作方向へ押し込まれたときには前記操作釦を取り付ける孔に対して揺動し、該操作釦を該取り付け孔から突出させる方向に付勢する部材によって該操作釦が初期位置に戻るときには該操作釦外周部のテーパ面と該取り付け孔のテーパ面で調芯することを特徴とした機構。
【請求項２】
前記付勢部材が略操作釦と別部材で構成されていることを特徴とする請求項１の機構。
【請求項３】
前記操作釦に該操作釦と同一中心の孔を有し、該孔内に他の操作釦を有する請求項１〜２の機構。
【請求項４】
請求項４の操作釦が請求項３の付勢部材と同一部品で構成されていることを特徴とする請求項１〜３の機構。
【請求項５】
請求項１の他方向操作可能な釦の周囲に請求項４とは別の釦を配設し、該釦が請求項３の付勢部材と同一部品で構成されていることを特徴とする請求項１〜４の機構。
【発明の詳細な説明】
【技術分野】
【０００１】
本発明は電子機器等の複数箇所押圧可能な操作釦を該操作釦を取り付ける孔に対して、位置決め用部材なしに調芯する機構に関するものである。
【背景技術】
【０００２】
従来の押圧可能な操作釦と該操作釦を取り付ける孔を有するカバー部材を備える電子機器においては、該釦に備える位置決め用部材を介して調芯を行っている。
【０００３】
また、プッシュスイッチで該先端形状を該内部に備えるテーパ面を用い調芯する機構を施したものがある（例えば、特許文献１）。
【特許文献１】特開２００４−４７１２２号公報
【発明の開示】
【発明が解決しようとする課題】
【０００４】
しかしながら、上記従来例にある操作釦に備える位置決め用部材を介して調芯では、該操作釦に位置決め用部材を備えるため、該位置決め用部材の分だけ該操作釦を備える電子機器等内の占有面積を必要とする。
【０００５】
さらには、該釦の位置決め部材の寸法精度に依存し調芯精度は高くなかった。
【０００６】
一方、プッシュスイッチでテーパ面を利用し調芯する機構は、調芯精度は高いが筒状の筐体内で一軸方向のみ動作する機構であり、複数箇所押圧可能とする操作釦の機構ではなかった。
【０００７】
そこで、本発明では位置決め用部材を介さず、複数箇所押圧可能とする操作釦の調芯機構を提案する。
【課題を解決するための手段】
【０００８】
このため、本発明は、下記各項（１）〜（５）のいずれかの電子機器を提供することにより、前記各目的を達成しようとするものである。
（１）複数箇所を押圧可能な操作釦と該操作釦を取り付ける孔を有するカバー部材を備える電子機器において、前記操作釦は操作方向へ押し込まれたときには前記操作釦を取り付ける孔に対して揺動し、該操作釦を該取り付け孔から突出させる方向に付勢する部材によって該操作釦が初期位置に戻るときには該操作釦外周部のテーパ面と該取り付け孔のテーパ面で調芯することを特徴とした機構。
（２）前記付勢部材が略操作釦と別部材で構成されていることを特徴とする前記（１）項記載の機構。
（３）前記操作釦に該操作釦と同一中心の孔を有し、該孔内に他の操作釦を有する前記（１）〜（２）項記載の機構。
（４）前記（４）項記載の操作釦が前記（３）項記載の付勢部材と同一部品で構成されていることを特徴とする前記（１）〜（３）項記載の機構。
（５）前記（１）項記載の他方向操作可能な釦の周囲に前記（４）項記載とは別の釦を配設し、該釦が前記（３）項記載の付勢部材と同一部品で構成されていることを特徴とする前記（１）〜（４）項記載の機構。
【発明の効果】
【０００９】
以上説明したように、本発明によれば、下記効果が得られる。
（１）操作釦から位置決め部材を削除すること出来、操作釦の小型化を可能とする。
（２）操作釦の調芯を位置決め部材で行わないため、位置精度を向上させることが出来る。
【発明を実施するための最良の形態】
【００１０】
以下に、本発明の実施の形態を、下記実施例に基づき、図面を参照して詳細に説明する。
【００１１】
図１に本発明の特徴を最もよく表すデジタルスチルカメラの実施例の外観背面斜視図を示す。
【００１２】
同図において、１は後カバーで、撮影した画像などを表示する不図示の液晶を保護するために透明窓２が係止してある。さらに、後カバー１にはファインダ窓用孔３、合焦ＬＥＤ用孔４、マクロＬＥＤ用孔５が設けられている。
【００１３】
６は電源釦、７はカメラのモードを変更するためのモードダイヤル、８はレリーズ釦、９はズームレバー、１０はストラップ金具である。
【００１４】
１１は操作音を出すためのスピーカ用孔、１２は撮影モードと再生モードを切り替えるためのモード切替レバー、１３は撮影時露出補正をするための露出補正操作釦。１４は外部接続されたプリンターに対し、直接画像データを送信するための送信操作釦、１５は透明窓２が保護する不図示の液晶表示をオン・オフするＬＣＤ操作釦。１６はカメラの各設定画面を呼び出すためのメニュー操作釦。１７は図中上下左右４箇所押圧可能な操作釦で、メニュー操作釦１６を押して呼び出した各設定画面中で設定項目を選択する時に使用する。
【００１５】
１８は前記４箇所押圧可能な操作釦１７で選択した設定を決定するＳＥＴ操作釦である。
【００１６】
図２は、後カバー１に備える部品を略カメラ本体から取外した外観背面斜視解体図である。
【００１７】
２１は操作基板で、押圧により電気信号に変換する電気スイッチ２１ａを複数備え、ビス２２によって、略カメラ本体に係止されている。電気スイッチ２１ａは操作釦１３〜１８それぞれに対し、一定の距離で操作基板２１上に配置している。
【００１８】
図３は略カメラの背面図である。
【００１９】
同図においてポイント３１〜３４は操作釦１７において押圧可能な箇所である。
【００２０】
同図、操作釦１７、操作釦１８の中心位置での断面図を図４として示す。
【００２１】
図４を用い、操作釦１７のポイント３１を押圧し、該釦操作釦１７が電気スイッチ２１ａを押圧する動作を説明する。
【００２２】
同図（ａ）において、操作釦１７は不図示付勢部材により同図方向Ａに付勢されており、後カバー１のテーパ面４１が操作釦１７の該面と同一角度のテーパ面４２を係止している。
【００２３】
同図（ａ）は操作基板２１上の電気スイッチ２１ａが操作釦１７に対して一定距離離れており、電気スイッチ２１を押圧していない状態である。
【００２４】
同図（ｂ）は図３の操作釦１７上のポイント３１を押圧した状態の断面図である。
【００２５】
同図で操作釦１７は支点４３を中心に同図Ｂ方向に回動し、電気スイッチ２１ａを押圧する。
【００２６】
電気スイッチ２１ａを押圧することで操作基板２１が電気信号に変換し、不図示電気接続部材を介し、不図示メイン基板に電気信号を伝える。
【００２７】
次に、後カバー１、操作釦１７、１８の構成を図５、図６を用いて説明する。
【００２８】
図５は、後カバー１に操作釦１７、１８を取り付けた状態を図３の背面図とは逆の方向から図示したものである。
【００２９】
操作釦１３〜１６は操作部材５１の枠から枝状に出ており、操作釦１３〜１６と操作部材５１は同一材料にて構成されている。
【００３０】
図６は、後カバー１に対する、操作釦１７、操作部材５１の組立図である。
【００３１】
同図に示すとおり、まず後カバー１の孔６１に操作釦１７を挿入する。
【００３２】
このとき後カバー１のガイドリブ６２ａ、６２ｂ、６２ｃ、６２ｄに対し、操作釦１７のスリット６３ａ、６３ｂ、６３ｃ、６３ｄを挿入する。
【００３３】
該ガイドリブの側面で該スリットを係止することで、後カバー１に対する操作釦１７の円周方向の位置を規制する。
【００３４】
次に、後カバー１の位置決めピン６４ａ、６４ｂ、６４ｃ、６４ｄ、６４ｅ、６４ｆを操作部材５１の位置決め用孔６５ａ、６５ｂ、６５ｃ、６５ｄ、６５ｅ、６５ｆに軽圧入する。
【００３５】
同図の操作部材５１には、付勢部材６６ａ、６６ｂ、６６ｃ、６６ｄを備えている。
【００３６】
該付勢部材は、電気スイッチ２１ａと重ならない位置に配設している。
【００３７】
該付勢部材は、操作釦１７を後カバー１に対して押し付ける方向に付勢する。
【００３８】
図７は、図５の取り付け状態図の断面図である。
【００３９】
同図を用い、操作釦１７を後カバー１の孔６１に対して調芯する機構を説明する。
【００４０】
同図（ａ）は操作釦１７の押圧ポイント３１〜３４が押圧されていない状態図である。
【００４１】
後カバー１の孔６１には、テーパ面４１を備え、操作釦１７もテーパ面４１と同一角度のテーパ面４２を備える。
【００４２】
略テーパ面４１が略テーパ面４２をガイドすることにより、後カバー１の孔６１の孔に対して、操作釦１７が調芯された位置に移動する。
【００４３】
操作部材５１の付勢部材６６ｂ、６６ｄは同図方向Ａに操作釦１７を付勢しており、後カバー１に対して操作釦１７が脱落防止をしている。
【００４４】
不図示付勢部材６６ａ、６６ｃも前記付勢部材６６ｂ、６６ｄと同様、後カバー１に対して操作釦１７が脱落防止をしている。
【００４５】
同図（ｂ）は操作釦１７の押圧ポイント３１を押圧したときの状態図である。
付勢部材６６ｂ、６６ｄは板バネとして機能し、操作釦１７が同図方向Ｂに押圧されたとき、操作釦の移動量と同一量だけ操作部材５１に対して変形する。
【００４６】
前記状態でも操作釦１７を方向Ａに付勢している。
【００４７】
同図（ｂ）の状態から操作釦１７の押圧ポイント３１への押圧がなくなると、付勢部材６６ａ〜６６ｄが同図方向Ａに付勢しているので、同図（ａ）の後カバー１の孔６１の孔に対して、操作釦１７が調芯された位置に移動する状態となる。
【００４８】
前記動作は、操作釦１７の押圧ポイント３１だけではなく、押圧ポイント３２〜３４でも同構造であるため可能である。複数箇所を押圧可能な操作釦１７で該操作釦１７を取り付ける孔６１を有する後カバー１を備える電子機器において、前記操作釦１７は操作方向Ｂへ押し込まれたときには前記操作釦を取り付ける孔６１に対して揺動する。該操作釦１７を該取り付け孔６１から突出させる方向に付勢する部材６２ａ〜６４ｄによって該操作釦１７が初期位置に戻るときには該操作釦外周部のテーパ面４２と該取り付け孔のテーパ面４２で調芯することを実現できた。
【図面の簡単な説明】
【００４９】
【図１】本発明実施例のデジタルカメラの外観背面斜視図
【図２】図１カメラの背面操作部材を略カメラ本体から取外した外観背面斜視解体図
【図３】図１カメラの背面図
【図４】図３操作釦の水平断面図
【図５】図２背面操作部材の裏面図
【図６】図２背面操作部材の組立図
【図７】図６操作部材の水平断面図
【符号の説明】
【００５０】
１  後カバー
２  透明窓
３  ファインダ窓用孔
４  合焦ＬＥＤ用孔
５  マクロＬＥＤ用孔
６  電源釦
７  モードダイアル
８  レリーズ釦
９  ズームレバー
１０  ストラップ金具
１１  スピーカー用孔
１２  モード切替レバー
１３  露出補正操作釦
１４  送信操作釦
１５  ＬＣＤ操作釦
１６  メニュー操作釦
１７  複数押圧可能操作釦
１８  ＳＥＴ操作釦
２１  操作基板
２１ａ  電気スイッチ
２２  ビス
３１〜３４  押圧ポイント
４１  後カバーテーパ面
４２  操作釦テーパ面
５１  操作部材
６１  後カバーの孔
６２ａ〜６２ｄ  ガイドリブ
６３ａ〜６３ｄ  スリット
６４ａ〜６４ｆ  位置決めピン
６５ａ〜６５ｆ  位置決め用孔
６６ａ〜６６ｄ  付勢部材
【図１】
2007172989.tif 000003
【図２】
2007172989.tif 000004
【図３】
2007172989.tif 000005
【図４】
2007172989.tif 000006
【図５】
2007172989.tif 000007
【図６】
2007172989.tif 000008
【図７】
2007172989.tif 000009